(57)【特許請求の範囲】
【請求項１】
交換機装置の各試験項目毎の実行手順である試験シナリオを、機種の異なる交換機装置の物理的構成の差異に依存しない論理試験シナリオと機種の異なる交換機装置の物理的構成の差異に依存する物理試験シナリオとの階層に分離し、
前記論理試験シナリオを機種毎に異なる被試験交換機装置対応の物理試験シナリオに変換し、前記物理試験シナリオにより機種の異なる交換機装置の試験動作を制御させ、
前記交換機装置の物理的構成の差異に依存しない論理試験シナリオにより、機種の異なる交換機装置の試験を実行することを特徴とする交換機装置の試験実行制御方法。
【請求項２】
同一の論理試験シナリオにより機種の異なる複数の交換機装置の試験を実行し、前記機種の異なる複数の交換機装置の試験の実行により収集される論理試験ログ情報から、試験結果を相互に比較照合し、試験結果が異なる論理試験ログ情報を抽出し、表示することを特徴とする請求項１に記載の交換機装置の試験実行制御方法。
【請求項３】
前記論理シナリオを、各試験項目毎の論理試験シナリオ群と汎用的に使用される論理マクロシナリオ群とから構成することを特徴とする請求項１又は請求項２に記載の交換機装置の試験実行制御方法。
【請求項４】
前記物理試験シナリオを中継し、遠隔地にある複数の被試験交換機装置の試験を一つの論理試験シナリオにより実行制御することを特徴とする請求項１、請求項２又は請求項３に記載の交換機装置の試験実行制御方法。
【請求項５】
交換機装置の各試験項目毎の実行手順であって機種の異なる交換機装置の物理的構成の差異に依存しない論理試験シナリオと、
前記論理試験シナリオを読出し、読出した論理試験シナリオを論理・物理試験シナリオ変換部へ渡す論理試験シナリオ実行制御部と、
前記論理試験シナリオを機種毎に異なる被試験交換機装置対応の物理試験シナリオに変換する論理・物理試験シナリオ変換部と、
前記物理試験シナリオにより機種の異なる交換機装置の試験動作を制御させる物理試験シナリオ実行制御部と、
前記物理試験シナリオによる被試験装置指示命令を被試験交換機装置に中継するアダプタ部と
を備えたことを特徴とする交換機装置の試験実行制御装置。
【請求項６】
同一の論理試験シナリオにより機種の異なる複数の交換機装置の試験に際し、前記論理試験シナリオ実行制御部におけるログ情報を収集する論理試験ログ収集部と、
前記物理試験シナリオ実行制御部におけるログ情報を収集する物理試験ログ収集部と、
前記論理試験ログ情報から、試験結果を相互に比較照合し、試験結果が異なる論理試験ログ情報を抽出し、表示する試験結果評価部と
を備えたことを特徴とする請求項５に記載の交換機装置の試験実行制御装置。
【請求項７】
前記論理シナリオを、各試験項目毎の論理試験シナリオ群と汎用的に使用される論理マクロシナリオ群とから構成したことを特徴とする請求項５又は請求項６に記載の交換機装置の試験実行制御装置。
【請求項８】
前記アダプタ部は、前記物理試験シナリオを遠隔地にある複数の被試験交換機装置に中継することを特徴とする請求項５、請求項６又は請求項７に記載の交換機装置の試験実行制御装置。
【発明の詳細な説明】
【０００１】
【発明の属する技術分野】
本発明は、外部から見た機能又は仕様スペックは同一であるが、内部装置の物理的構成が異なり型式又は機種を異にする交換機、例えば、既存交換機と次期交換機又は製造業者の選定部品の相違等により生じる異機種の交換機を、同時に並行して維持又は開発するための交換機装置の試験実行制御方法及びその装置に関する。
【０００２】
【従来の技術】
図１０は従来の交換機試験の説明図である。図において、１０Ａ，１０Ｂは機種の異なる被試験交換機Ａ、被試験交換機Ｂ、１０１Ａ，１０１Ｂは端末装置、１０２Ａ，１０２Ｂは交換スイッチ、１０３Ａ，１０３Ｂは回線装置、１０４Ａは中央処理プロセッサ（ＣＰＵ）、１０５Ｂ，１０６Ｂ，１０７Ｂは機能分散処理の各プロセッサ（ＬＮＰ，ＭＣＰ，ＣＳＰ）、１０８Ａは中央処理プロセッサ（ＣＰＵ）を制御するコンソールＡ、１０８Ｂは機能分散処理の各プロセッサ（ＬＮＰ，ＭＣＰ，ＣＳＰ）を制御するコンソールＢ、１０９Ａ，１０９Ｂは保守端末装置（ＴＹＰＥ）である。
【０００３】
又、図において、１１０Ａ，１１０Ｂは端末装置１０１Ａ，１０１Ｂに対し試験呼又は疑似呼の発生等の疑似端末動作の制御を行う端末試験制御装置、１１１Ａ，１１１Ｂは回線装置１０３Ａ，１０３Ｂに対して試験的な疑似回線動作の制御を行う回線試験制御装置、１１２Ａは試験時のコンソールＡの動作を制御するコンソールＡ試験制御装置、１１２Ｂは試験時のコンソールＢの動作を制御するコンソールＢ試験制御装置、１１３Ａ，１１３Ｂは試験時の保守端末装置（ＴＹＰＥ）の動作を制御する保守端末装置（ＴＹＰＥ）試験制御装置、１１４Ａは被試験交換機Ａ対応の試験シナリオ１１５Ａを備え、前記各試験制御装置１１０Ａ〜１１３Ａを試験シナリオ１１５Ａに従って制御する自動試験制御装置、１１４Ｂは被試験交換機Ｂ対応の試験シナリオ１１５Ｂを備え、前記各試験制御装置１１０Ｂ〜１１３Ｂを試験シナリオ１１５Ｂに従って制御する自動試験制御装置である。
【０００４】
被試験交換機Ａ（１０Ａ）と被試験交換機Ｂ（１０Ｂ）は、外部から見た機能又は仕様スペックは一致していても、プロセッサ等の装置の型式又は種類が異なると、システムの立ち上げやプログラムロードの手順等が異なり、プロセッサを制御するためのコンソール及びそのインタフェースはそれぞれ被試験交換機毎に異なるものとなる。
【０００５】
そのため、被試験交換機Ａ（１０Ａ）と被試験交換機Ｂ（１０Ｂ）の試験に際し、被試験交換機の装置の相違に依存しない部分の試験制御装置、例えば、前記端末試験制御装置１１０Ａ，１１０Ｂ及び回線試験制御装置１１１Ａ，１１１Ｂ等は各被試験交換機Ａ（１０Ａ）及び被試験交換機Ｂ（１０Ｂ）に対して共通のものとすることができるが、被試験交換機の装置の相違に依存する部分の試験制御装置、例えば、前記コンソールＡ試験制御装置１１２Ａ、コンソールＢ試験制御装置１１２Ｂ等は各被試験交換機Ａ（１０Ａ）及び被試験交換機Ｂ（１０Ｂ）毎に対応したものを用意しておかなければならない。
【０００６】
従って、前記自動試験制御装置１１４Ａ及び自動試験制御装置１１４Ｂにおける各試験項目対応の手順をしるした試験シナリオ１１５Ａ及び試験シナリオ１１５Ｂは、プロセッサ等の装置の型式又は種類の異なる被試験交換機毎に個々別々に作成し、それぞれ異なる試験シナリオ１１５Ａ及び試験シナリオ１１５Ｂによりそれぞれの交換機の試験を行っていた。
【０００７】
【発明が解決しようとする課題】
前述したように内部装置の物理的構成が相違し、機種の異なる交換機装置を試験する場合、同じ試験項目及び同じ内容の試験であっても、交換機装置の機種毎にそれぞれ異なる試験手順により作成した試験シナリオを複数セット用意しなければならなかった。
【０００８】
又、試験シナリオは機種の異なる交換機装置毎の別個のものであり、該試験シナリオによる試験の結果も各交換機装置毎の別個のものとなるため、一方の交換機装置で行った試験シナリオ及び試験結果のログ情報を、他方の交換機装置の試験シナリオ及び試験結果のログ情報に活用することはできなかった。
【０００９】
本発明は、機種の異なる交換機装置に対して、共通の試験シナリオを用い、該共通の試験シナリオから機種毎の試験シナリオを生成し、又、異なる交換機装置間の試験シナリオ及び試験結果のログ情報を相互に比較照合可能とすることにより、試験シナリオの作成及びその確認修正の作業の負担の軽減化を図ることを目的とする。
【００１０】
【課題を解決するための手段】
本発明の交換機装置の試験実行制御方法は、（１）交換機装置の各試験項目毎の実行手順である試験シナリオを、機種の異なる交換機装置の物理的構成の差異に依存しない論理試験シナリオと機種の異なる交換機装置の物理的構成の差異に依存する物理試験シナリオとの階層に分離し、前記論理試験シナリオを機種毎に異なる被試験交換機装置対応の物理試験シナリオに変換し、前記物理試験シナリオにより機種の異なる交換機装置の試験動作を制御させ、前記交換機装置の物理的構成の差異に依存しない論理試験シナリオにより、機種の異なる交換機装置の試験を実行する過程を含むものである。
【００１１】
又（２）同一の論理試験シナリオにより機種の異なる複数の交換機装置の試験を実行し、前記機種の異なる複数の交換機装置の試験の実行により収集される論理試験ログ情報から、試験結果を相互に比較照合し、試験結果が異なる論理試験ログ情報を抽出し、表示する過程を含むものである。
【００１２】
又（３）前記論理シナリオを、各試験項目毎の論理試験シナリオ群と汎用的に使用される論理マクロシナリオ群とから構成する過程を含むものである。
【００１３】
又（４）前記物理試験シナリオを中継し、遠隔地にある複数の被試験交換機装置の試験を一つの論理試験シナリオにより実行制御する過程を含むものである。
【００１４】
又（５）本発明の交換機装置の試験実行制御装置は、交換機装置の各試験項目毎の実行手順であって機種の異なる交換機装置の物理的構成の差異に依存しない論理試験シナリオと、前記論理試験シナリオを読出し、読出した論理試験シナリオを論理・物理試験シナリオ変換部へ渡す論理試験シナリオ実行制御部と、前記論理試験シナリオを機種毎に異なる被試験交換機装置対応の物理試験シナリオに変換する論理・物理試験シナリオ変換部と、前記物理試験シナリオにより機種の異なる交換機装置の試験動作を制御させる物理試験シナリオ実行制御部と、前記物理試験シナリオによる被試験装置指示命令を被試験交換機装置に中継するアダプタ部とを備えたものである。
【００１５】
又（６）同一の論理試験シナリオにより機種の異なる複数の交換機装置の試験に際し、前記論理試験シナリオ実行制御部におけるログ情報を収集する論理試験ログ収集部と、前記物理試験シナリオ実行制御部におけるログ情報を収集する物理試験ログ収集部と、前記論理試験ログ情報から、試験結果を相互に比較照合し、試験結果が異なる論理試験ログ情報を抽出し、表示する試験結果評価部とを備えたものである。
【００１６】
又（７）前記論理シナリオを、各試験項目毎の論理試験シナリオ群と汎用的に使用される論理マクロシナリオ群とから構成したものである。
【００１７】
又（８）前記アダプタ部は、前記物理試験シナリオを遠隔地にある複数の被試験交換機装置に中継するものである。
【００１８】
【発明の実施の形態】
図１は本発明の実施の形態の要部説明図である。１１は論理試験シナリオ、１２は被試験交換機装置名、１３は論理・物理試験シナリオ変換部、１４Ａは被試験交換機Ａの物理試験シナリオ、１４Ｂは被試験交換機Ｂの物理試験シナリオ、１５Ａは被試験交換機装置Ａ、１５Ｂは被試験交換機装置Ｂである。
【００１９】
機種の異なる被試験交換機装置Ａ（１５Ａ）及び被試験交換機装置Ｂ（１５Ｂ）に対して、プロセッサ等のハード装置の違いを吸収するために、試験シナリオを、交換機装置の違いに依存しない論理試験シナリオ１１と、交換機装置の違いに依存する物理試験シナリオ１４Ａ，１４Ｂとの２つの階層に分離する。
【００２０】
前記論理試験シナリオ１１は論理・物理試験シナリオ変換部１３により、個々の被試験交換機装置例えば交換機装置Ａの物理的構成に対応した物理試験シナリオ１４Ａ又は交換機装置Ｂの物理的構成に対応した物理試験シナリオ１４Ｂに変換される。
論理・物理試験シナリオ変換部１３により、機種の異なる被試験交換機に対して共通の論理試験シナリオを用いて交換機装置の試験を実行することができる。
【００２１】
前記論理・物理試験シナリオ変換部１３は、前記論理試験シナリオ１１及び被試験交換機装置名１２が入力されると、それらを基に被試験交換機装置Ａ対応の試験制御装置命令群である物理試験シナリオ１４Ａ又は被試験交換機装置Ｂ対応の試験制御装置命令群である物理試験シナリオ１４Ｂを生成する。
【００２２】
次に、図２を参照して本発明の実施の形態の交換機装置の試験実行制御部を説明する。図２の一点鎖線で囲った部分２が交換機装置の試験実行制御部である。交換機装置の試験実行制御部２は、論理試験シナリオ実行制御部４と、論理・物理試験シナリオ変換部５と、物理試験シナリオ実行制御部６と、アダプタ部７と、試験結果評価部８とから構成される。
【００２３】
図２において、論理試験シナリオ実行制御部４は、論理試験シナリオ群１１−１及び論理マクロシナリオ群１１−２から成る論理試験シナリオ１１を読出し、シナリオの命令を実行し、被試験交換装置名１２を基に論理試験シナリオ１１を論理装置指示命令４−１に変換して論理・物理試験シナリオ変換部５に渡す。又論理試験シナリオの命令の実行中に、必要なログ情報を論理試験ログ４−２として収集する。
【００２４】
論理・物理試験シナリオ変換部５は、前記論理装置指示命令４−１から論理⇔物理シナリオ変換テーブル５０を検索することにより、被試験交換装置に対応した物理試験シナリオ５−１を生成し、該物理試験シナリオ５−１を物理試験シナリオ実行制御部６に渡す。
【００２５】
物理試験シナリオ実行制御部６は前記物理試験シナリオ５−１の命令を実行し、該当する被試験装置対応の被試験装置指示命令６−１をアダプタ部７に渡す。又、物理試験シナリオ実行制御部６は前記物理試験シナリオ５−１の命令の実行中に必要なログ情報を物理試験ログ６−２として収集する。
【００２６】
アダプタ部７は、前記被試験装置指示命令６−１を遠隔にある被試験交換機装置８に中継し、被試験交換機装置８は中継された被試験装置指示命令６−１により、交換機装置を試験動作させる。
【００２７】
更に、試験結果評価部８は、前記論理試験ログ４−２及び物理試験ログ６−２により、機種の異なる交換機装置の試験結果を比較照合し、評価結果を試験結果レポート８−１として表示、出力する。
【００２８】
以上が本発明の実施の形態の交換機装置の試験実行制御部の機能であるが、前記各部の構成について以下に詳しく説明する。
【００２９】
図３は本発明の実施の形態の論理試験シナリオの説明図である。論理試験シナリオ１１は個々の試験項目毎の手順により構成される論理試験シナリオ群１１−１と各試験項目に共通に使用される手順により構成した論理マクロシナリオ群１１−２とから成る。図示の論理試験シナリオ群１１−１は自局の発信者が自局の着信者に発呼し、通話後発信者が先に送受話器をオンフックして終話した場合の課金データを確認する試験のシナリオの例である。
【００３０】
この試験シナリオは、まず、試験前準備として、交換機空転を指示し、発信者側（番号：７７７−１０００）の課金データと着信者側（番号：７７７−１００１）の課金データを保守端末装置（ＴＹＰＥ）に出力し、次に擬似的に自局発信者（番号：７７７−１０００）から自局着信者（番号：７７７−１００１）に発呼し、通話後発信者が先に送受話器をオンフックする動作を行わせ、次にこの疑似呼による課金データを確認するために、発信者側（番号：７７７−１０００）の課金データと着信者側（番号：７７７−１００１）の課金データを保守端末装置（ＴＹＰＥ）にダンプするという試験手順により構成されている。
【００３１】
又、交換機空転指示のような汎用的な試験手順は、論理マクロシナリオ群１１−２に記述され、他の試験項目の手順においても共通に使用される。この論理試験シナリオ群１１−１と論理マクロシナリオ群１１−２とは論理試験シナリオ実行制御部４に渡される。
【００３２】
図４は本発明の実施の形態の論理試験シナリオ実行制御部の説明図である。論理試験シナリオ実行制御部４は、論理シナリオ読出部４１と論理シナリオ実行部４２と論理マクロシナリオ読出部４３と論理マクロシナリオ実行部４４と論理試験シナリオログ収集部４５とから構成され、前記論理試験シナリオ１１と被試験交換機装置名１２とを基に論理装置指示命令４−１を生成しするとともに論理試験ログ４−２を収集する。
【００３３】
論理シナリオ読出部４１は、前記論理試験シナリオ群１１−１を読出し、該論理試験シナリオ群１１−１を論理シナリオ実行部４２に渡す。論理シナリオ実行部４２は、前記論理試験シナリオ群１１−１を解釈し、それぞれのシナリオを実行し、後述する論理マクロシナリオ実行部４４と協働して論理装置指示命令４−１を生成し、後述する論理・物理試験シナリオ変換部に渡す。論理装置指示命令４−１は論理装置名と論理指示のパラメータとから構成されている。
【００３４】
論理シナリオ実行部４２の機能には、制御命令、演算命令、文字列処理命令、変数、マクロ命令、例外処理命令等一般的なプログラム記述命令の処理、シナリオ上にコメントを記述するためのコメント命令の処理、論理試験シナリオログ収集部４５に意図的に必要情報を登録するためのプリント命令の処理、シナリオ毎の論理試験項目名を宣言するための論理試験項目宣言命令の処理及び論理装置名で各装置に対する処理要求を行うための論理装置指示命令の処理並びに前記論理試験シナリオ群１１−１の命令毎に必要ログ情報を収集する機能を有する。（具体的には後述する論理試験シナリオログ収集部４５で実行する。）
【００３５】
論理マクロシナリオ読出部４３は、論理シナリオ実行部４２でマクロ命令を認識すると論理マクロシナリオ群１１−２を読出し、論理マクロシナリオ実行部に制御を渡す。
【００３６】
論理マクロシナリオ実行部４４は、論理マクロシナリオ読出部４３から渡された論理マクロシナリオ群１１−２を解釈し、それぞれのシナリオを実行する。
論理マクロシナリオ実行部４４の機能には、制御命令、演算命令、文字列処理命令、変数、例外処理命令等一般的なプログラム記述命令の処理、シナリオ上にコメントを記述するためのコメント命令の処理、論理試験シナリオログ収集部に意図的に必要情報を登録するためのプリント命令の処理、シナリオ毎の論理試験項目名を宣言するための論理試験項目宣言命令の処理及び論理装置名で各装置に対する処理要求を行うための論理装置指示命令の処理並びに前記論理試験シナリオ命令毎に必要ログ情報を収集する機能を有する。（具体的には後述する論理試験シナリオログ収集部４５で実行する。）
【００３７】
論理試験シナリオログ収集部４５は、論理シナリオ実行部４２及び論理マクロシナリオ実行部４４による論理試験シナリオ群１１−１又は論理マクロシナリオ群１１−２の実行時のログ情報を収集する。収集単位は、被試験交換機装置名１２毎及び論理試験シナリオ群１１−１内の論理試験項目宣言命令毎に行う。ログ情報収集の対象となる命令は、コメント命令、論理試験項目宣言命令、論理装置指示命令、プリント命令である。図４において４−２は収集した論理試験ログの例である。
【００３８】
図５は本発明の実施の形態の論理・物理試験シナリオ変換部及び論理⇔物理シナリオ変換テーブルの説明図である。論理・物理試験シナリオ変換部５は、前記論理試験シナリオ実行制御部４により生成された論理装置指示命令４−１と、論理⇔物理シナリオ変換テーブル５０と、被試験交換機装置名１２とに基づいて、物理試験シナリオ５−１を算出し、前記論理試験シナリオ１１は物理試験シナリオ５−１に変換されることとなる。
【００３９】
物理試験シナリオの具体的な算出手法は、論理⇔物理シナリオ変換テーブル５０内の被試験交換機テーブル５０−１を被試験交換機装置名１２で検索し、被試験交換機対応の被試験論理装置テーブル５０−２を抽出する。論理試験シナリオ実行制御部４から渡された論理装置指示命令４−１の論理装置名により該被試験論理装置テーブル５０−２を検索して被試験論理装置対応の論理物理試験シナリオ５０−３を抽出し、抽出した被試験論理装置対応の論理物理試験シナリオ５０−３がノンダイレクト送出型かダイレクト送出型かを判断する。
【００４０】
抽出した被試験論理装置対応の論理物理試験シナリオ５０−３がノンダイレクト送出型の場合、論理装置指示命令４−１の論理指示により論理指示テーブル５０−４を検索し、論理装置及び論理指示に対応した物理試験シナリオ５０−５を抽出する。この物理試験シナリオは複数の物理装置対応の試験シナリオから構成されている。シナリオ変換テーブル５０から抽出した物理試験シナリオ５０−５は論理・物理シナリオ変換部５に送られ、論理・物理シナリオ変換部５から物理試験シナリオ５−１として、物理試験シナリオ実行制御部６に渡される。
【００４１】
前記被試験論理装置テーブル５０−２を検索して抽出した被試験論理装置対応の論理物理試験シナリオ５０−３がダイレクト送出型の場合、該論理物理試験シナリオ５０−３は論理装置名のみが物理装置名に変換された物理試験シナリオ５０−６が抽出される。この物理試験シナリオ５０−６は前述の物理試験シナリオ５０−５と同様に論理・物理シナリオ変換部５に送られ、論理・物理シナリオ変換部５は該物理試験シナリオ５０−６を物理試験シナリオ５−１１として物理試験シナリオ実行制御部６に渡す。
【００４２】
ダイレクト送出型の物理試験シナリオ５０−６は、装置の違いに依存しない試験シナリオで、論理試験シナリオと物理試験シナリオの命令が一致する試験シナリオである。保守端末装置（ＴＹＰＥ）の試験シナリオ等がダイレクト送出型の物理試験シナリオに該当する。
【００４３】
図６は本発明の実施の形態の物理試験シナリオ実行制御部の説明図である。物理試験シナリオ実行制御部６は前記物理試験シナリオ５−１に基づいて、被試験装置指示命令６−１を交換機の機種毎の専用のアダプタ部７に渡し、又、物理試験ログ６−２を収集する。物理試験シナリオ実行制御部６は物理シナリオ読出部６１、物理シナリオ実行部６２、物理シナリオログ収集部６３とから構成される。
物理シナリオ読出部６１は、物理試験シナリオ５−１を読出し、読出した物理試験シナリオ５−１を物理シナリオ実行部６２に渡す。
【００４４】
物理シナリオ実行部６２は、物理シナリオ読出部６１から渡された物理試験シナリオ５−１を解釈し、それぞれのシナリオを実行する。物理シナリオ実行部６２の機能には、制御命令、演算命令、文字列処理命令、変数、例外処理命令等一般的なプログラム記述命令の処理、シナリオ上にコメントを記述するためのコメント命令の処理、物理試験シナリオログ収集部に意図的に必要情報を登録するためのプリント命令の処理、シナリオ毎の論理試験項目名を宣言するための物理試験項目宣言命令の処理及び被試験装置名で各装置に対する処理要求を行う（アダプタ経由で被試験装置に処理要求を出す）ための被試験装置指示命令の処理並びに前記物理試験シナリオの命令毎に必要ログ情報を収集する機能がある。（具体的には物理シナリオログ収集部６３で実行する。）
【００４５】
物理シナリオログ収集部６３は、物理シナリオ実行部６２による物理試験シナリオ命令の実行時のログ情報を収集する。収集単位は被試験交換機装置名毎及び物理試験シナリオ５−１内の物理試験項目宣言命令毎に行う。
対象となるログ収集命令は、コメント命令、物理試験項目宣言命令、被試験装置指示命令及びプリント命令である。
【００４６】
図７は本発明の実施の形態のアダプタ部及び被試験交換機の説明図である。アダプタ部７は各交換機の機種毎に異なる被試験装置対応の送受信アダプタ、例えば、Ａ交換機用アダプタの回線制御送受信アダプタ７１、端末制御送受信アダプタ７２、ＴＹＰＥ制御送受信アダプタ７３、ＣＰＵ制御送受信アダプタ７４により構成され、物理シナリオ実行制御部６から送られた被試験装置指示命令６−１を、ＬＡＮ又はＷＡＮ経由で被試験装置であるＡ交換機装置８の回線制御送受信アダプタ８１、端末制御送受信アダプタ８２、ＴＹＰＥ制御送受信アダプタ８３、ＣＰＵ制御送受信アダプタ８４に送出する。
【００４７】
被試験装置であるＡ交換機装置８の各送受信アダプタ８１〜８４は、アダプタ部７の各送受信アダプタ７１〜７４から送出された被試験装置指示命令６−１を、Ａ交換機装置８の回線試験制御装置８１−１、端末試験制御装置８２−１、ＴＹＰＥ試験制御装置８３−１、ＣＰＵ試験制御装置８４−１へ中継する機能を有する。
【００４８】
Ａ交換機装置８の各試験制御装置８１−１〜８４−１は、各送受信アダプタ８１〜８４から送られてきた被試験装置指示命令６−１を解釈して被試験交換機装置である回線装置８１−２、端末装置８２−２、ＴＹＰＥ装置８３−２、ＣＰＵ８４−２を動作させることによりＡ交換機装置８の動作を試験することができる。
【００４９】
図８及び図９は本発明の実施の形態の試験結果評価部の説明図である。図８及び図９に示した試験結果評価部９は、論理試験結果比較部９１と物理試験ログ解析部９２とから構成されている。図８は論理試験結果比較部９１の説明図であり、図９は物理試験ログ解析部９２の説明図である。
【００５０】
図８において、論理試験結果比較部９１は、前記論理試験シナリオ実行制御部４から出力される論理試験ログ４−２のＡ交換機試験ログ４−２ＡとＢ交換機試験ログ４−２Ｂとを試験項目毎に試験結果に差異があるか否かを算出し、その試験結果評価を試験結果評価レポート９−１として一覧表形式で出力する。
【００５１】
図８のＡ交換機試験ログ４−２ＡとＢ交換機試験ログ４−２Ｂでは、自局発信者（番号：７７７−１０００）から自局着信者（番号：７７７−１００１）に発呼し、通話後発信者が先に送受話器をオンフックする試験動作を行わせたところ、Ａ交換機試験ログ４−２Ａでは、確認事項の発側課金データダンプ情報として発信者番号：７７７−１０００、発側課金＝１、着信者番号：７７７−１００１、着側課金＝０の試験結果が得られたが、Ｂ交換機試験ログ４−２Ｂでは、着側課金＝１となり、Ａ交換機試験ログとは異なる試験結果が得られた場合を示している。
【００５２】
論理試験結果比較部９１は、Ａ交換機試験ログ４−２ＡとＢ交換機試験ログ４−２Ｂとを比較照合し、その結果を試験結果評価レポート８−１の「Ａ交換機とＢ交換機の論理試験結果」の表の試験結果評価欄に“ＮＧ”又は“ＯＫ”として出力する。
【００５３】
図９において、物理試験ログ解析部９２は、前記物理試験シナリオ実行制御部６により収集された物理試験ログ６−２のＡ交換機ログ６−２Ａ及びＢ交換機ログ６−２Ｂを、前記試験結果評価レポート８−１に問題箇所の解析用に表示する。
【００５４】
前述の論理試験結果比較により、試験シナリオに不具合があった場合に、論理試験シナリオに１１に不良箇所があったのか、各交換機装置毎の物理試験シナリオに不良箇所があったのか、被疑不良箇所を容易に狭めることができ、試験シナリオの確認・修正作業の負担を軽減することができる。
【００５５】
【発明の効果】
以上説明したように、本発明によれば、試験シナリオを、機種の異なる交換機装置の物理的構成の差異に依存しない論理試験シナリオと機種の異なる交換機装置の物理的構成の差異に依存する物理試験シナリオとの階層に分離したことにより、交換機装置の物理的構成の差異に依存しない論理試験シナリオを用いて、機種の異なる交換機装置の試験を実行することができるので、試験シナリオが共用化されるとともに、一方の機種の試験シナリオ及び試験結果ログと他方の機種の試験シナリオ及び試験結果ログとの比較照合結果が得られるので、不良箇所の探索が容易となり、試験シナリオの作成、確認、修正の作業の負担を軽減することができる。
【図面の簡単な説明】
【図１】本発明の実施の形態の要部説明図である。
【図２】本発明の実施の形態の交換機装置の試験実行制御部の説明図である。
【図３】本発明の実施の形態の論理試験シナリオの説明図である。
【図４】本発明の実施の形態の論理試験シナリオ実行制御部の説明図である。
【図５】本発明の実施の形態の論理・物理試験シナリオ変換部及び論理⇔物理シナリオ変換テーブルの説明図である。
【図６】本発明の実施の形態の物理試験シナリオ実行制御部の説明図である。
【図７】本発明の実施の形態のアダプタ部及び被試験交換機の説明図である。
【図８】本発明の実施の形態の試験結果評価部の説明図である。
【図９】本発明の実施の形態の試験結果評価部の説明図である。
【図１０】従来の交換機試験の説明図である。
【符号の説明】
１１  論理試験シナリオ
１２  被試験交換機装置名
１３  論理・物理試験シナリオ変換部
１４Ａ  被試験交換機Ａの物理試験シナリオ
１４Ｂ  被試験交換機Ｂの物理試験シナリオ
１５Ａ  被試験交換機装置Ａ
１５Ｂ  被試験交換機装置Ｂ
【図１】
0003635479.tif 000002
【図２】
0003635479.tif 000003
【図３】
0003635479.tif 000004
【図４】
0003635479.tif 000005
【図５】
0003635479.tif 000006
【図６】
0003635479.tif 000007
【図７】
0003635479.tif 000008
【図８】
0003635479.tif 000009
【図９】
0003635479.tif 000010
【図１０】
0003635479.tif 000011